(57)【要約】【課題】ある車両に登録済みの第三者の携帯機から他車両へのＩＤ登録を不可能として、セキュリティ性を向上させた携帯機の登録システムを得る。【解決手段】車両に対応した固有のスマートＩＤａを有し携帯機ＩＤＡ、Ｂを登録可能な車載のスマートユニット１０ａと、固有の携帯機ＩＤＡ、Ｂを有しスマートＩＤａを登録可能な携帯機２０Ａ、２０Ｂとを備えている。スマートユニット１０ａは、１つの携帯機の携帯機ＩＤを登録する際に、自身のスマートＩＤａを１つの携帯機に登録し、スマートユニット１０ａに登録された携帯機ＩＤの携帯機を検知したときのみに車両の開錠または施錠を行う。スマートユニット１０ａは、１つの携帯機の携帯機ＩＤを登録する際に、１つの携帯機に既に登録済みスマートＩＤが存在する場合には、登録済みスマートＩＤが自身のスマートＩＤａと一致する場合のみに１つの携帯機の携帯機ＩＤを登録する。【選択図】図１
2006144480.tif 000002
【特許請求の範囲】
【請求項１】
車両に対応した固有のスマートＩＤを有するとともに携帯機ＩＤを登録可能な車載のスマートユニットと、
固有の携帯機ＩＤを有するとともに前記スマートＩＤを登録可能な携帯機とを備え、
前記スマートユニットは、１つの携帯機の携帯機ＩＤを登録する際に、自身のスマートＩＤを前記１つの携帯機に登録するとともに、前記スマートユニットに登録された携帯機ＩＤの携帯機を検知したときのみに、前記車両の開錠または施錠を行う携帯機の登録システムであって、
前記スマートユニットは、
前記１つの携帯機の携帯機ＩＤを登録する際に、
前記１つの携帯機に登録済みスマートＩＤが存在しない場合には、前記１つの携帯機の携帯機ＩＤを登録し、
前記１つの携帯機に既に登録済みスマートＩＤが存在する場合には、前記登録済みスマートＩＤが自身のスマートＩＤと一致する場合のみに、前記１つの携帯機の携帯機ＩＤを登録することを特徴とする携帯機の登録システム。
【請求項２】
前記スマートユニットは、前記１つの携帯機の携帯機ＩＤを登録する際に、自身のスマートＩＤを含む登録要求信号を前記１つの携帯機に送信し、
前記１つの携帯機は、自身のメモリにスマートＩＤが未登録の場合、または、前記登録要求信号に含まれるスマートＩＤが前記登録済みスマートＩＤと一致する場合には、前記登録要求信号に応答して、自身の携帯機ＩＤを含む登録許可信号を前記スマートユニットに送信し、
前記スマートユニットは、前記登録許可信号に含まれる携帯機ＩＤを、自身のメモリに登録することを特徴とする請求項１に記載の携帯機の登録システム。
【請求項３】
前記１つの携帯機は、前記登録要求信号に含まれるスマートＩＤが、前記登録済みスマートＩＤと一致しない場合には、前記登録許可信号の送信を禁止し、
前記スマートユニットは、前記登録要求信号を送信してから一定時間にわたって前記登録許可信号が受信されない場合に、登録要求が棄却されたものと判定して前記１つの携帯機の携帯機ＩＤを登録しないことを特徴とする請求項２に記載の携帯機の登録システム。
【請求項４】
車両に対応した固有のスマートＩＤを有するとともに携帯機ＩＤを登録可能な車載のスマートユニットと、
固有の携帯機ＩＤを有するとともに前記スマートＩＤを登録可能な携帯機とを備え、
前記スマートユニットは、１つの携帯機の携帯機ＩＤを登録する際に、自身のスマートＩＤを前記１つの携帯機に登録するとともに、前記スマートユニットに登録された携帯機ＩＤの携帯機を検知したときのみに、前記車両の開錠または施錠を行う携帯機の登録システムであって、
前記スマートユニットは、
前記１つの携帯機の携帯機ＩＤを登録する際に、前記１つの携帯機の出荷時に前記１つの携帯機に登録された出荷時スマートＩＤが自身のスマートＩＤと一致する場合のみに、前記１つの携帯機の携帯機ＩＤを登録することを特徴とする携帯機の登録システム。
【請求項５】
前記スマートユニットは、前記１つの携帯機の携帯機ＩＤを登録する際に、自身のスマートＩＤを含む登録要求信号を前記１つの携帯機に送信し、
前記１つの携帯機は、前記登録要求信号に含まれるスマートＩＤが前記出荷時スマートＩＤと一致する場合には、前記登録要求信号に応答して、自身の携帯機ＩＤを含む登録許可信号を前記スマートユニットに送信し、
前記スマートユニットは、前記登録許可信号に含まれる携帯機ＩＤを、自身のメモリに登録することを特徴とする請求項４に記載の携帯機の登録システム。
【請求項６】
前記１つの携帯機は、前記登録要求信号に含まれるスマートＩＤが、前記出荷時スマートＩＤと一致しない場合には、前記登録許可信号の送信を禁止し、
前記スマートユニットは、前記登録要求信号を送信してから一定時間にわたって前記登録許可信号が受信されない場合に、登録要求が棄却されたものと判定して前記１つの携帯機の携帯機ＩＤを登録しないことを特徴とする請求項５に記載の携帯機の登録システム。
【発明の詳細な説明】
【技術分野】
【０００１】
この発明は、自動車や２輪車などの車両の盗難防止用として、一般的なメカキーを用いずに開錠または施錠を行う携帯機の登録システムに関し、ユーザが所持する携帯機と車両に備え付けられたスマートユニットとの間で通信を行うことにより、携帯機とスマートユニットとが適合した場合のみに、スマートユニットが車両の開錠または施錠を行うことのできる携帯機の登録システムに関するものである。
【背景技術】
【０００２】
一般に、ある特定の車両に対して使用可能な携帯機を登録する場合には、携帯機ＩＤがスマートユニットに登録される（たとえば、特許文献１参照）。これにより、スマートユニットは、登録されたＩＤの携帯機をユーザが携帯していることを検知した場合にのみ、開錠または施錠の操作を受け付けるようになっている。
【０００３】
【特許文献１】特許第３４７９９５３号公報
【発明の開示】
【発明が解決しようとする課題】
【０００４】
従来の携帯機の登録システムでは、携帯機ＩＤをスマートユニットに登録する際に、対象となる携帯機が新規に登録されるのか、または既に別のスマートユニットによって登録済みであるのかを示す情報を、スマートユニットが取得することができないので、既に他のスマートユニットで登録済みの携帯機であっても、別のスマートユニットによって新たに登録することが可能となってしまう。
したがって、スマートユニットへの携帯機ＩＤ登録方法を熟知している第三者が、自身の所持する携帯機のＩＤを別のスマートユニットに登録することにより、別のスマートユニットを搭載した車両を盗難することが可能となってしまい、セキュリティ性（盗難防止機能）を確保することができないという課題があった。
【０００５】
この発明は、上記のような課題を解決するためになされたもので、特定の車両に既に登録済みの携帯機を所持した第三者が、携帯機ＩＤ登録方法を熟知していたとしても、他の車両に登録することを不可能にして、セキュリティ性を向上させた携帯機の登録システムを得ることを目的とする。
【課題を解決するための手段】
【０００６】
この発明による携帯機の登録システムは、車両に対応した固有のスマートＩＤを有するとともに携帯機ＩＤを登録可能な車載のスマートユニットと、固有の携帯機ＩＤを有するとともにスマートＩＤを登録可能な携帯機とを備え、スマートユニットは、１つの携帯機の携帯機ＩＤを登録する際に、自身のスマートＩＤを１つの携帯機に登録するとともに、スマートユニットに登録された携帯機ＩＤの携帯機を検知したときのみに、車両の開錠または施錠を行う携帯機の登録システムであって、スマートユニットは、１つの携帯機の携帯機ＩＤを登録する際に、１つの携帯機に既に登録済みスマートＩＤが存在する場合には、登録済みスマートＩＤが自身のスマートＩＤと一致する場合のみに、１つの携帯機の携帯機ＩＤを登録するものである。
【発明の効果】
【０００７】
この発明によれば、ある車両に既に登録済みの第三者の携帯機から、他の車両への携帯機ＩＤの登録を不可能にして、セキュリティ性を向上させることができる。
【発明を実施するための最良の形態】
【０００８】
実施の形態１．
以下、図面を参照しながら、この発明の実施の形態１について詳細に説明する。
図１はこの発明の実施の形態１に係る携帯機の登録システムの処理を示すブロック図であり、ある車両に対応した１つのスマートユニット１０ａに対して、２つの携帯機２０Ａ、２０Ｂが正規登録される場合を示している。
【０００９】
図１において、携帯機の登録システムは、車両の開錠または施錠を行う車載のスマートユニット１０ａと、ユーザにより所持される任意数の携帯機２０Ａ、２０Ｂとにより構成される。
携帯機２０Ａ、２０Ｂのスマートユニット１０ａへの登録は、後述するように、メーカおよびディーラにより所持された登録ツールおよびトリガスイッチにより行われる。
【００１０】
この場合、正規の携帯機としてスマートユニット１０ａに登録された２つの携帯機２０Ａ、２０Ｂは、それぞれ２人の運転者によって所持され、スマートユニット１０ａが搭載された車両を運転可能にするようになっている。
【００１１】
スマートユニット１０ａは、自身が搭載される車両に対応してあらかじめ設定された固有のスマートＩＤａを有するとともに、任意数の携帯機ＩＤを登録するための消去可能なメモリＭａを備えている。
なお、ここでは図示を省略するが、携帯機２０Ａ、２０Ｂの登録に際しては、メーカおよびディーラにより所持された登録ツールおよびトリガスイッチが用いられる。また、セキュリティ性を確保するため、通常、ユーザによる登録操作は行われないものとする。
【００１２】
携帯機２０Ａ、２０Ｂは、それぞれ自身に固有の携帯機ＩＤＡ、Ｂを有するとともに、各々が登録されたスマートユニット１０ａのスマートＩＤａを登録するためのメモリＭＡ、ＭＢ（セイキュリティ確保のため、通常は消去不可能）を備えている。
【００１３】
スマートユニット１０ａと、携帯機２０Ａ、２０Ｂとは、１点鎖線矢印で示すように、相互通信可能に構成されている。
スマートユニット１０ａは、登録対象となる携帯機２０Ａ、２０Ｂの携帯機ＩＤＡ、ＢをメモリＭａに登録する際に、自身のスマートＩＤａを各携帯機２０Ａ、２０ＢのメモリＭＡ、ＭＢに登録する。
【００１４】
図１に示すように、スマートユニット１０ａへの携帯機２０Ａ、２０Ｂの登録処理後において、スマートユニット１０ａのメモリＭａには、携帯機２０Ａ、２０Ｂの各携帯機ＩＤＡ、Ｂが登録され、携帯機２０Ａ、２０Ｂの各メモリＭＡ、ＭＢには、スマートユニット１０ａのスマートＩＤａが登録される。
これにより、スマートユニット１０ａは、スマートユニット１０ａに登録された携帯機ＩＤＡまたはＢの携帯機２０Ａ、２０Ｂを検知したときのみに、車両の開錠または施錠を行うことになる。
【００１５】
また、スマートユニット１０ａは、新規の携帯機の携帯機ＩＤを登録する際に、新規の携帯機のメモリに既に登録済みスマートＩＤが存在する場合には、その登録済みスマートＩＤが自身のスマートＩＤａと一致する場合のみに、新規の携帯機の携帯機ＩＤを登録することを許可するようになっている。
【００１６】
すなわち、スマートユニット１０ａへの携帯機ＩＤＡ、Ｂの登録時において、スマートユニット１０ａから送信される登録要求に応答して、携帯機２０Ａ、２０Ｂは、各自のメモリＭＡ、ＭＢにスマートＩＤが未登録であることを確認し、未登録であれば、スマートユニット１０ａに対して登録許可信号を送信する。
【００１７】
スマートユニット１０ａは、携帯機２０Ａ、２０Ｂからの登録許可信号に応答して、携帯機２０Ａ、２０Ｂが他のスマートユニットで登録されていないものと見なして、携帯機ＩＤＡ、ＢをメモリＭａに登録し、登録完了信号を送信する。
【００１８】
携帯機２０Ａ、２０Ｂは、スマートユニット１０ａからの登録完了信号に応答して、メモリＭＡ、ＭＢにスマートＩＤａを登録し、同様に登録完了信号を送信する。
最後に、スマートユニット１０ａは、携帯機２０Ａ、２０Ｂからの登録完了信号に含まれる携帯機ＩＤＡ、Ｂが、メモリＭａ内に登録済みの携帯機ＩＤと一致することを確認して、登録処理を終了する。
【００１９】
なお、スマートユニット１０ａへの新規の携帯機ＩＤの登録許可処理の他の例として、携帯機の出荷時にあらかじめ携帯機内に登録されるスマートＩＤを確認する方法がある。
たとえば、１つの携帯機２０Ａを例にとって説明すると、携帯機２０Ａの出荷時において、携帯機２０Ａが登録されるべき特定のスマートユニットのスマートユニットＩＤが既に書込まれる場合がある。
この場合は、携帯機２０Ａ内のメモリＭＡに既に登録されているスマートＩＤが自身のスマートＩＤａと一致することが確認された場合のみに、スマートユニット１０ａへの携帯機ＩＤＡの登録が許可される。
【００２０】
また、あるスマートユニットに一旦登録された携帯機ＩＤを消去して新規の携帯機ＩＤを登録しようとする場合には、消去前の携帯機にスマートＩＤがまだ書込まれていることになる。
この場合も、スマートユニット１０ａは、新規の携帯機に登録されているスマートＩＤが自身のスマートＩＤａと一致することを確認した場合のみ、携帯機ＩＤを登録することになる。
【００２１】
図２はスマートＩＤａが登録済みの携帯機２０Ａをスマートユニット１０ａに登録する場合の処理を示すブロック図であり、前述（図１参照）と同様のものについては、同一符号を付して詳述を省略する。
図２において、携帯機２０Ａは、スマートユニット１０ａからの登録要求に応答して、メモリＭＡ内の登録済みスマートＩＤａと、スマートユニット１０ａのスマートＩＤａとを比較し、両者が一致する場合に登録許可信号（１点鎖線矢印参照）を送信する。
これにより、スマートユニット１０ａのメモリＭａには、携帯機２０Ａの携帯機ＩＤＡが登録される。
【００２２】
図３はこの発明の実施の形態１に係る不正登録防止処理を示すブロック図であり、他のスマートユニット１０ｂに登録済みの携帯機２０Ｃのスマートユニット１０ａへの登録が禁止される状態を示している。
図３において、初期状態のメモリＭＡ、ＭＢにスマートＩＤが登録されていない携帯機２０Ａ、２０Ｂは、前述のようにスマートユニット１０ａに登録される。
【００２３】
一方、既に他のスマートユニット１０ｂで登録済みの携帯機２０Ｃを、新たにスマートユニット１０ａで登録しようとした場合には、携帯機２０Ｃ内のメモリＭＣに登録済みのスマートＩＤｂが、新規に登録要求したスマートユニット１０ａのスマートＩＤａと一致しないので、登録許可信号がスマートユニット１０ａに送信されることはない（×印参照）。
【００２４】
このように、スマートユニット１０ａ以外のスマートユニット１０ｂで既に登録された携帯機２０Ｃの携帯機ＩＤＣは、新規にスマートユニット１０ａに登録しようとしても、登録許可信号の送信が禁止されるので、不正にスマートユニット１０ａに登録されることはない。
【００２５】
次に、図４および図５を参照しながら、この発明の実施の形態１による携帯機登録処理について、さらに詳細に説明する。
図４はこの発明の実施の形態１による携帯機の登録処理を示すフローチャートであり、各処理ステップＳ１〜Ｓ４を、スマートユニット１０および携帯機２０の各処理に分割して示している。
【００２６】
また、図５は図４内の各処理ステップＳ１〜Ｓ４に対応した送受信信号のデータ構成を示す説明図であり、スマートユニット１０から送信される登録要求信号（ステップＳ１）と、携帯機２０から送信される登録許可信号（ステップＳ２）と、スマートユニット１０から送信される登録完了信号（ステップＳ３）と、携帯機２０から送信される登録完了信号（ステップＳ４）とを示している。
【００２７】
図４において、まず、スマートユニット１０は、登録要求信号を携帯機２０に送信することにより、携帯機ＩＤの登録要求を行う（ステップＳ１）。
ステップＳ１においてスマートユニット１０から送信される登録要求信号は、図５に示すように、バースト間の「Ｗａｋｅｕｐ  Ｐａｔｔｅｒｎ」と、コントロールビットと、スマートユニット１０自身に登録されているスマートＩＤと、終了ビットとにより構成される。
【００２８】
スマートＩＤを受信した携帯機２０は、自身のメモリにスマートＩＤが未登録であることを確認し、未登録であれば、登録許可信号をスマートユニット１０に送信して登録を許可する（ステップＳ２）。
または、携帯機２０は、自身のメモリにスマートＩＤが登録済みの場合には、登録要求時に受信したスマートＩＤと登録済みのスマートＩＤとを比較し、両者が一致することを確認した場合のみに登録許可信号を送信する（ステップＳ２）。
【００２９】
ステップＳ２において携帯機２０から送信される登録許可信号は、図５に示すように、同期信号と、開始ビットと、コントロールビットと、携帯機２０自身に登録されている携帯機ＩＤと、受信したスマートＩＤと、終了ビットとにより構成される。
【００３０】
一方、携帯機２０のメモリに既にスマートＩＤが登録済みであって、受信したスマートＩＤと登録済みのスマートＩＤとが不一致であった場合には、携帯機２０は、登録要求信号に応答せず、登録許可信号を送信することはない。
スマートユニット１０は、登録要求信号の送信後に一定時間にわたって携帯機２０からの応答信号が受信されない場合に、登録要求は棄却されたものと判定する。
【００３１】
スマートユニット１０は、携帯機２０からの登録許可信号を受信した場合に、まず、登録許可信号に含まれる携帯機ＩＤおよびスマートＩＤを参照して、受信したスマートＩＤと登録要求時（ステップＳ１）に自身が送信したスマートＩＤと比較し（ステップＳ２ａ）、両者が一致するか否かにより、登録許可信号を送信した携帯機１０が確かに自分の通信相手であるか否かを確認する。
【００３２】
スマートユニット１０は、ステップＳ２ａにおいて、送信済みのスマートＩＤと受信したスマートＩＤとが一致することを確認した後に、受信した携帯機ＩＤをメモリに登録し（ステップＳ３ａ）、登録完了信号を携帯機２０に送信する（ステップＳ３）。
ステップＳ３においてスマートユニット１０から送信される登録完了信号は、図５に示すように、バースト間の「Ｗａｋｅｕｐ  Ｐａｔｔｅｒｎ」と、コントロールビットと、スマートユニット１０自身に登録されているスマートＩＤと、今回登録した携帯機ＩＤと、終了ビットとにより構成される。
【００３３】
携帯機２０は、携帯機ＩＤおよびスマートＩＤを含む登録完了信号を受信し、受信した携帯機ＩＤと登録許可時（ステップＳ２）に送信した携帯機ＩＤとを比較し（ステップＳ２Ａ）、両者が一致することを確認することにより、今回の通信相手がデータ送信済みのスマートユニット１０であることを確認する。
このとき、携帯機２０がスマートＩＤを未登録であれば、今回受信したスマートＩＤを携帯機２０のメモリに登録する（ステップＳ３Ａ）。
【００３４】
最後に、携帯機２０は、登録完了信号をスマートユニット１０に送信する（ステップＳ４）。
ステップＳ４において携帯機２０から送信される登録完了信号は、図５に示すように、同期信号と、開始ビットと、コントロールビットと、携帯機２０自身に登録されている携帯機ＩＤと、終了ビットとにより構成される。
【００３５】
スマートユニットは、ステップＳ４で受信した登録完了信号に含まれる携帯機ＩＤと、自身の登録完了時（ステップＳ３）に送信した携帯機ＩＤとを比較し（ステップＳ４）、両者が一致すれば、今回の通信が正しく完了したものと判定して正常終了する。
以上の登録手順により、既に他のスマートユニットに登録されている携帯機を、新たに別のスマートユニットに再登録することは不可能となり、防犯性が確保される。
【００３６】
次に、図６のタイミングチャートを参照しながら、この発明の実施の形態１による携帯機の登録手順について、さらに具体的に説明する。
図６は、一例として、１つのスマートユニット１０ａに３つの携帯機２０Ａ、２０Ｂ、２０Ｃを登録する場合の手順を示している。
【００３７】
なお、前述と同様に、スマートユニット１０ａ、携帯機２０Ａ、２０Ｂ、２０Ｃには、それぞれに固有のスマートＩＤａ、携帯機ＩＤＡ、Ｂ、Ｃがあらかじめ設定されているものとする。
【００３８】
また、スマートユニット１０ａは、メモリＭａを有しており、登録された携帯機ＩＤを記憶するようになっている。
同様に、携帯機２０Ａ、２０Ｂ、２０Ｃは、それぞれメモリＭＡ、ＭＢ、ＭＣを有しており、登録されたスマートユニット１０ａのスマートＩＤを記憶するようになっている。
【００３９】
スマートユニット１０ａのメモリＭａは、たとえば５つのメモリ領域＃１〜＃５を有しており、それぞれに携帯機ＩＤを記憶することができるものとする。
すなわち、スマートユニット１０ａには、最大５つの携帯機が登録可能であるが、ここでは、３個のメモリ領域＃１〜＃３に登録する場合を示している。
【００４０】
図６において、携帯機登録時には、まず、時刻ｔ１において、ディーラが所持するツール（図示せず）が操作される。
これにより、時刻ｔ２において、システムが登録モードに切換えられ、その後、最初に登録対象となる携帯機２０Ａは、スマートユニット１０ａと通信可能な状態となる。
このとき、他の携帯機２０Ｂ、２０Ｃは、電源を切るか、または通信手段を遮断するなどにより、混信しないようにする。
【００４１】
続いて、時刻ｔ３において、ツールに取り付けられたトリガスイッチＳＷ（図示せず）を操作することにより、時刻ｔ４〜ｔ５において、スマートユニット１０ａと携帯機２０Ａとの間のデータ通信（図４内のステップＳ１〜Ｓ４）を行い、携帯機２０Ａの登録を実行する。
こうして携帯機２０Ａの登録が完了すると、時刻ｔ５において、スマートユニット１０ａのメモリＭａのメモリ領域＃１に携帯機ＩＤＡが登録されるとともに、携帯機２０ＡのメモリＭＡにスマートＩＤａが登録される。
【００４２】
また、携帯機２０Ａの電源をＯＦＦして携帯機２０Ｂの電源をＯＮし、時刻ｔ６においてトリガスイッチＳＷを操作し、時刻ｔ７〜ｔ８において、スマートユニット１０ａと携帯機２０Ｂとの間のデータ通信で携帯機２０Ｂの登録を行い、時刻ｔ８において、スマートユニット１０ａのメモリ領域＃２に携帯機ＩＤＢを登録するとともに、携帯機２０ＢのメモリＭＢにスマートＩＤａを登録する。
【００４３】
同様に、携帯機２０Ｂの電源をＯＦＦして携帯機２０Ｃの電源をＯＮし、時刻ｔ９においてトリガスイッチＳＷを操作することにより、時刻ｔ１０〜ｔ１１において、スマートユニット１０ａと携帯機２０Ｃとの間のデータ通信で携帯機２０Ｃの登録を行い、時刻ｔ１１において、スマートユニット１０ａのメモリ領域＃３に携帯機ＩＤＣを登録するとともに、携帯機２０ＣのメモリＭＣにスマートＩＤａを登録する。
【００４４】
このように、３つの携帯機２０Ａ、２０Ｂ、２０Ｃのスマートユニット１０ａへの登録は完了すると、スマートユニット１０ａの各メモリ領域＃１〜＃３には、携帯機ＩＤＡ、Ｂ、Ｃが登録されるとともに、携帯機２０Ａ、２０Ｂ、２０ＣのメモリＭＡ、ＭＢ、ＭＣには、それぞれスマートＩＤａが登録される。
このように、スマートユニット１０ａに登録された携帯機２０Ａ、２０Ｂ、２０Ｃの各メモリＭＡ、ＭＢ、ＭＣにスマートＩＤａを登録することにより、他のスマートユニット（たとえば、１０ｂ）への重複登録を不可能にすることができる。
【００４５】
以上のように、この発明の実施の形態１によれば、従来のメカキーに代えて、ユーザが所持する携帯機と車載のスマートユニットとを相互通信可能に設け、スマートユニットは、今回通信された携帯機の携帯機ＩＤとスマートユニット自身に登録済みの携帯機ＩＤとを比較して、両者が一致する（登録済みの携帯機をユーザが所持している）と判定されたときのみに、車両の開錠または施錠を行う。このとき、携帯機ＩＤのスマートユニットへの登録は、１つのスマートユニットのみに対して可能としている。
【００４６】
具体的には、スマートユニットは、新規の携帯機を登録するときに、登録許可を確認後に、新規の携帯機の携帯機ＩＤを登録するとともに、スマートユニット自身に固有のスマートＩＤを登録対象の携帯機に登録する。
このとき、登録対象の携帯機内にスマートＩＤが未登録の場合、または、携帯機内に登録済みのスマートＩＤが自身のスマートＩＤと一致する場合のみに、登録処理を実行する。
【００４７】
すなわち、携帯機がスマートＩＤを未登録の場合には、登録要求信号に応答してスマートユニットのスマートＩＤを登録し、スマートユニットのスマートＩＤが登録済みスマートＩＤと異なっている場合には、他のスマートユニットに登録されている携帯機であることを意味するので、その携帯機の登録を許可しないようにする。
【００４８】
また、携帯機の出荷時にその携帯機に適合する固有の出荷時スマートＩＤ（固有のスマートユニットのスマートＩＤ）を登録させて出荷し、携帯機をスマートユニットに登録する際に、その携帯機が記憶しているスマートＩＤが自分のものと一致する場合のみ登録が可能となるようにする。
この場合も、登録要求信号を送信してきたスマートＩＤが出荷時スマートＩＤと異なっていれば、他のスマートユニットに登録されている（または、登録されるべき）携帯機であることを意味するので、その携帯機の登録は許可しないようにする。
【００４９】
このように、スマートユニット側において、他の車両に搭載されたスマートユニットに既に登録された登録済み携帯機であることを確認することにより、仮にスマートユニットへの携帯機の登録方法を熟知している第三者が、既に他のスマートユニットに登録済みの携帯機を所持し、別のスマートユニットに新規登録して別のスマートユニットが搭載された車両を盗もうとしても、別のスマートユニットへの重複登録を不可能にすることができるので、セキュリティ性を向上させることができる。
【００５０】
なお、上記実施の形態１では、メカキーを用いずに、ユーザが所持する携帯機と車載のスマートユニットとを用いて、自動車または２輪車などの車両の開錠または施錠を行う場合について説明したが、イモビライザシステムなどの盗難防止システムにも利用できることは言うまでもない。
また、施錠に関して言えば、車種によっては、携帯機の有無にかかわらず車両側のボタン操作により施錠可能な場合があり、この場合には、開錠に関してのみ上記の盗難防止システムが適用されることになる。
【図面の簡単な説明】
【００５１】
【図１】この発明の実施の形態１に係る携帯機の登録システムの処理を示すブロック図である。
【図２】この発明の実施の形態１に係るスマートＩＤが登録済みの携帯機をスマートユニットに登録する場合の処理を示すブロック図である。
【図３】この発明の実施の形態１に係る不正登録防止処理を示すブロック図である。
【図４】この発明の実施の形態１による携帯機の登録処理を示すフローチャートである。
【図５】図４内の各処理に対応した送受信信号のデータ構成を示す説明図である。
【図６】この発明の実施の形態１に係る携帯機の登録手順を示すタイミングチャートである。
【符号の説明】
【００５２】
１０ａ、１０ｂ  スマートユニット、２０Ａ、２０Ｂ、２０Ｃ  携帯機、ａ、ｂ  スマートＩＤ、Ａ、Ｂ、Ｃ  携帯機ＩＤ、Ｍａ、ＭＡ、ＭＢ、ＭＣ  メモリ。
【図１】
2006144480.tif 000003
【図２】
2006144480.tif 000004
【図３】
2006144480.tif 000005
【図４】
2006144480.tif 000006
【図５】
2006144480.tif 000007
【図６】
2006144480.tif 000008